(57)【特許請求の範囲】
【請求項１】
電子部品ユニットと、
該電子部品ユニットを保持する保持部材と、
該保持部材と前記電子部品ユニットに挟まれて配置され、
前記電子部品ユニットや他部品の衝撃による破損を防ぐ緩衝部材と、
を備え、
前記電子部品ユニットは、
平面方向に広がる面であって、前記保持部材に対向する受け面と、
該受け面の外縁部となる角を有し、
前記緩衝部材は、該角を保持するように配置され、さらに、
前記電子部品ユニットがパッチアンテナを実装した回路ブロックであり、
前記受け面が前記パッチアンテナの受信面である
ことを特徴とする電子機器。
【請求項２】
電子部品ユニットと、
該電子部品ユニットを保持する保持部材と、
該保持部材と前記電子部品ユニットに挟まれて配置され、
前記電子部品ユニットや他部品の衝撃による破損を防ぐ緩衝部材と、
を備え、
前記電子部品ユニットは、
平面方向に広がる面であって、前記保持部材に対向する受け面と、
該受け面の外縁部となる角を有し、
前記緩衝部材は、該角を保持するように配置され、
前記保持部材の前記緩衝部材が配置される部分に、前記保持部材を貫通する穴を有する
ことを特徴とする電子機器。
【請求項３】
電子部品ユニットと、
該電子部品ユニットを保持する保持部材と、
該保持部材と前記電子部品ユニットに挟まれて配置され、
前記電子部品ユニットや他部品の衝撃による破損を防ぐ緩衝部材と、
を備え、
前記電子部品ユニットは、
平面方向に広がる面であって、前記保持部材に対向する受け面と、
該受け面の外縁部となる角を有し、
前記緩衝部材は、該角を保持するように配置され、
前記電子部品ユニットが電池であり、前記受面が電池の上面または底面である、
ことを特徴とする電子機器。
【請求項４】
電子部品ユニットと、
該電子部品ユニットを保持する保持部材と、
該保持部材と前記電子部品ユニットに挟まれて配置され、
前記電子部品ユニットや他部品の衝撃による破損を防ぐ緩衝部材と、
を備え、
前記電子部品ユニットは、
平面方向に広がる面であって、前記保持部材に対向する受け面と、
該受け面の外縁部となる角を有し、
前記緩衝部材は、該角を保持するように配置され、さらに、
前記緩衝部材が、
前記電子部品ユニットの角を受けるための平面を有し、
該平面は組立方向に対して傾斜するように配置され、
前記緩衝部材の前記電子部品ユニットの角を受けるための平面と、
組立方向との間になす角度は、
前記組立方向の位置公差が前記組立方向に垂直な方向の位置公差より大きい場合は前記角度が４５°より小さく、
前記組立方向の位置公差が前記組立方向に垂直な方向の位置公差より小さい場合は前記角度が４５°より大きい、
ことを特徴とする電子機器。
【請求項５】
前記緩衝部材が、
前記電子部品ユニットの角を受けるための平面を有し、
該平面は組立方向に対して傾斜するように配置される
ことを特徴とする請求項１から３のいずれか１つに記載の電子機器。
【請求項６】
前記電子部品ユニットの、前記受け面と断面方向で反対側にある面側から、
前記電子部品ユニットを前記緩衝部材に押し付けるように押圧する押圧部材を有する
ことを特徴とする請求項１から４のいずれか１つに記載の電子機器。
【請求項７】
前記電子部品ユニットの、前記受け面と断面方向で反対側にある面側から、
前記電子部品ユニットを前記緩衝部材に押し付けるように押圧する押圧部材を有し、
前記押圧部材が前記回路ブロックに電位を供給する導電部材を兼用する
ことを特徴とする請求項１に記載の電子機器。
【請求項８】
前記電子部品ユニットの、前記受け面と断面方向で反対側にある面側から、
前記電子部品ユニットを前記緩衝部材に押し付けるように押圧する押圧部材を有し、
前記押圧部材が非導電性材料で形成されることを特徴とする請求項１に記載の電子機器。
【発明の詳細な説明】
【技術分野】
【０００１】
本発明は、電子機器の耐衝撃構造に関し、例えば、アンテナを内蔵する電子機器において、アンテナ保持構造の耐衝撃構造に関する。
【背景技術】
【０００２】
従来の電子機器の内蔵する電子部品ユニットの保持構造は、電子部品ユニットに対して所定の方向、例えば上下、左右および前後方向で、電子部品ユニットに緩衝部材を当接して保持する耐衝撃構造であった。（特許文献１参照）
【先行技術文献】
【特許文献】
【０００３】
【特許文献１】特開平１１−２９８１５７号公報（図７）
【発明の概要】
【発明が解決しようとする課題】
【０００４】
図１０に基づいて従来の技術を説明する。
図１０は、緩衝部材８２１ないし８２４を配設した保持部材８１０に対して、図中上方から電子部品ユニット８３０を組み立てる途中の状態を示す説明図で断面図であり、ＧＰＳ衛星からの電波を受信する時計としての例である。
電子部品ユニット８３０は回路基板８３２に、パッチアンテナ８３１や他の部品（不図示）を実装して構成され、支持部材８１０に配設した緩衝部材８２１ないし８２４がパッチアンテナ８３１に当接して保持する耐衝撃構造である。
【０００５】
上下方向の衝撃に対しては、パッチアンテナの受信面８３１１を緩衝部材８２３および８２４の上面８２３１および８２４１が当接して保持し、左右方向の衝撃に対しては、パッチアンテナの右の面８３１２を緩衝部材８２１の左の面８２１２が当接するとともに、パッチアンテナの左の面８３１３を緩衝部材８２２の右の面８２２２が当接して保持する。
【０００６】
パッチアンテナ８３１を実装した電子部品ユニット８３０を衝撃から守るために、電子部品ユニット８３０に実装したパッチアンテナ８３１対して緩衝部材８２１ないし８２４は所定の量だけ弾性変形してパッチアンテナ８３１に当接する。
【０００７】
左右方向の衝撃に対応する緩衝部材８２１および８２２は、電子部品ユニット８３０が組み立てられた状態で、それぞれパッチアンテナ８３１の右の面８３１２および左の面８３１３に対して弾性変形して当接するから、パッチアンテナ８３１の右の面８３１２と左の面８３１３の間の寸法ａに対して、弾性変形する前の緩衝部材８２１の左の面８２１２と緩衝部材８２２の右の面８２２２の間の寸法ｂは小さくなる。
【０００８】
寸法ａ＞寸法ｂであるから、前記寸法電子部品ユニット８３０は組み立ての途中で、アンテナ８３１の受面８３１１が緩衝部材８２１および８２２の上面８２１３および８２２３に接触するため、電子部品ユニット８３０の組立性が悪いという課題がある。
【０００９】
そこで、本発明の目的は、電子部品ユニットに弾性変形した緩衝部材が当接して電子部品ユニットを衝撃から守る構造でありながら、組立性の良い耐衝撃構造を提供することにある。
【課題を解決するための手段】
【００１０】
本発明は、上記目的を達成するため、電子部品ユニットと、該電子部品ユニットを保持する保持部材と、該保持部材と前記電子部品ユニットに挟まれて配置され、前記電子部品ユニットや他部品の衝撃による破損を防ぐ緩衝部材とを備え、前記電子部品ユニットは、平面方向に広がる面であって、前記保持部材に対向する受け面と、断面方向に広がる外周面とを有し、前記緩衝部材は、該受け面と該外周面とで形成される角を保持するように配置される、ことを特徴とする。
【００１１】
また、本発明は、前記緩衝部材が、前記電子部品ユニットの角を受けるための平面を有し、該平面は組立方向に対して傾斜するように配置される、ことを特徴とする。
【００１２】
また、本発明は、前記電子部品ユニットの、前記受け面と断面方向で反対側にある面側から、前記電子部品ユニットを前記緩衝部材に押し付けるように押圧する押圧部材を有する、ことを特徴とする。
また、本発明は、前記電子部品ユニットがパッチアンテナを実装した回路ブロックであり、前記受け面が前記パッチアンテナの受信面である、ことを特徴とする。
また、本発明は、前記押圧部材が前記回路ブロックに電位を供給する導電部材を兼用する、ことを特徴とする。
【００１３】
また、本発明は、前記押圧部材が非伝導性材料で形成される、ことを特徴とする。
また、本発明は、前記保持部材の前記緩衝部材が配置される部分に、前記保持部材を貫通する穴を有する、ことを特徴とする。
また、本発明は、前記電子部品ユニットが電池であり、前記受面が電池の上面または底面である、ことを特徴とする。
【００１４】
また、本発明は、前記電子部品ユニットが電池であり、前記受面が電池の上面または底面である、ことを特徴とする。
また、本発明は、前記電子部品ユニットの角と前記平面との間で組立方向の位置公差と組立方向に垂直な方向の位置公差を考えるとき、前記緩衝部材の前記電子部品ユニットの角を受けるための平面と組立方向との間になす角度は、前記組立方向の位置公差が前記組立方向に垂直な方向の位置公差より大きい場合は前記角度が４５°より小さく、前記組立方向の位置公差が前記組立方向に垂直な方向の位置公差より小さい場合は前記角度が４５°より大きい、ことを特徴とする。
【発明の効果】
【００１５】
本発明の耐衝撃構造によれば、電子部品ユニットに緩衝部材が当接して耐衝撃性を確保するとともに、組立が容易である、という効果がある。
【図面の簡単な説明】
【００１６】
【図１】本発明のパッチアンテナを実装した回路ブロックに対する耐衝撃構造を示す説明図で、断面図である。
【図２】本発明のパッチアンテナを実装した回路ブロックに対する耐衝撃構造の組立手順を示す説明図で、分解組立図の断面図である。
【図３】本発明のパッチアンテナを実装した回路ブロックに対する緩衝部材の配置を示す説明図で、分解組立図の斜視図である。
【図４】本発明の緩衝部材の配置を示す説明図で、支持部材を上方から見た図である。
【図５】本発明のパッチアンテナを実装した回路ブロックに対する耐衝撃構造で、受面と反対側を非導電部材で押圧する場合を示す説明図で、断面図である。
【図６】本発明の電池に対する耐衝撃構造を示す説明図で、断面図である。
【図７】本発明の電池に対する耐衝撃構造の組立手順を示す説明図で、分解組立図の斜視図である。
【図８】本発明の電池に対する耐衝撃構造の電池の正極を上方とした場合を示す説明図で、断面図である。
【図９】本発明のパッチアンテナを実装した回路ブロックに対する耐衝撃構造で緩衝部材が三角柱形状の場合を示す説明図で、断面図である。
【図１０】従来の技術による耐衝撃構造を示す説明図で、断面図である。
【発明を実施するための形態】
【００１７】
本発明の耐衝撃構造について、説明する。
【実施例１】
【００１８】
以下、本発明の実施例１を図面に基づいて詳述する。
【００１９】
本実施例は、ＧＰＳ信号などを受信するためのパッチアンテナを搭載した電子機器、例えば、時計として説明を行う。図１は、本発明のパッチアンテナを実装した回路ブロックに対する耐衝撃構造を示す断面図である。
【００２０】
３０は回路ブロックである。回路ブロック３０は、回路基板３２にパッチアンテナ３１や集積回路３３などを実装し構成される。回路基板３２には、他の部品も実装されているが、本発明の説明に関連しないため、図示は省略している。
【００２１】
パッチアンテナ３１は、図中下方の面が受信面３１１である。本実施例のパッチアンテナ３１は方形であるので、受信面３１１と厚み方向との角は図中手前側と奥側にも存在するが、説明を簡単にするため、図中手前側と奥側については図示を省略する。
【００２２】
１０は保持部材であり、パッチアンテナ３１を保持する。２０１，２０１は緩衝部材であり、衝撃や振動などで、パッチアンテナ３１が保持部材１０と直接接触し、破損するのを防止する。周知の如く、パッチアンテナ３１はセラミックなどの脆性材料で構成されるため衝撃などで破損しやすく、２０１，２０１のような緩衝部材の配置は必須である。
本実施例では、保持部材１０の所定の位置に四角柱形状の緩衝部材２０１および２０２を傾斜させて配設している。これにより、緩衝部材２０１および２０１は、パッチアンテナ３１の受信面３１１の外縁部となる角３１４および３１５に対向する緩衝部材の斜面２０１１および２０２１でパッチアンテナ３１に当接する。
【００２３】
このとき、緩衝部材２０１および２０２とパッチアンテナ３１とが寸法的に干渉する分は緩衝部材２０１および２０２が弾性変形し、パッチアンテナ３１に対して適度な反発力で図中上方に押し上げるとともに、パッチアンテナ３１の寸法公差や実装位置の誤差を吸収する。
【００２４】
支持部材４０は、パッチアンテナ３１の給電部３１２（図２参照）と集積回路３３が収まる空間を確保するための部材であり、回路押さえ５０は、後述の如く、支持部材４０を抑える役割を果たしている。
【００２５】
回路押さえ５０は押圧部材５１を有し、回路押さえ５０が組み立てられた状態で押圧部材５１は弾性変形して、パッチアンテナ３１の上側で回路基板３２の受信面３１１とは反対向きの面を図中下方に押圧する。
【００２６】
このとき、押圧部材５１の図中下方への押圧力は、緩衝部材２０１および２０２の発生する反発力の総和より大きくして、組立時や衝撃時に保持部材１０から回路ブロック３０が浮き上がるのを防止する。
【００２７】
緩衝部材２０１および２０２は、パッチアンテナ３１の受信面３１１の外縁部となる角３１４および３１５に対向する緩衝部材の斜面２０１１および２０２１でパッチアンテナ３１に当接するから、パッチアンテナ３１と保持部材１０との間には、図中下方向と図中左右方向に緩衝部材２０１および２０２が介在する。
【００２８】
衝撃により、パッチアンテナ３１が図中下方向と左右方向に移動しようとする場合は、パッチアンテナ３１と保持部材１０との間に介在する緩衝部材２０１および２０２によって直接衝撃を吸収し、パッチアンテナ３１が図中上方に移動しようとする場合は一旦押圧部材５１の押圧力で受け、パッチアンテナ３１が図中下方に戻る際に緩衝部材２０１および２０２によって衝撃力を吸収する。
【００２９】
回路押さえ５０は、図１では図示しない電池と電気的に導通して接地電位となっており、押圧部材５１が回路基板３２に押圧する事で、回路ブロック３０およびパッチアンテナ３１に接地電位を供給している。
すなわち、押圧部材５１は、回路ブロック３０を保持部材１０に押圧する押圧部材としての役割を、回路基板３２に電位を供給する電気接点としての役割を兼ねている。これにより、部品点数の削減と省スペースを実現している。
【００３０】
また、保持部材１０は、保持部材１０の緩衝部材２０１および２０２が配置される部分に、保持部材１０を貫通するのぞき穴１０１１および１０１２を有する。
【００３１】
のぞき穴１０１１および１０１２は、保持部材１０に緩衝部材２０１および２０２を配設して回路ブロック３０を組み立てた後に、緩衝部材２０１および２０２の有無を確認するために用いる。
図２は、本発明のパッチアンテナを実装した回路ブロックに対する耐衝撃構造の組立手順を示す説明図で、分解組立図の断面図である。
【００３２】
図中下方から保持部材１０、緩衝部材２０１および２０２、回路ブロック３０、支持部材４０、回路押さえ５０であり、保持部材１０に対して、図中上方から下方が組立方向１００である。
【００３３】
保持部材１０は、四角柱形状の緩衝部材２０１および２０２を傾斜して配置するための傾斜した面を持つ凹部１０２１および１０２２を有する。
【００３４】
凹部１０２１および１０２２に緩衝部材２０１および２０２を配置すると、斜面２０１１および２０２１は、図中上方から下方の組立方向に対して所定の角度を持った斜面となり、斜面２０１１および２０２１は回路ブロック３０を上方から組み立てると、パッチアンテナ３１の受信面３１１外縁の角３１４および３１５を受ける。
【００３５】
回路ブロック３０の上に支持部材４０を重ね、さらに図中上方より回路押さえ５０を重ねて図２では図示しないねじで支持部材１０に固定する。
【００３６】
図１０に示す従来技術では、上下左右各方向の衝撃を受けるため、緩衝部材を上下用と左右用に分けて設置する必要があり、部品数が増えてしまう問題があった。さらに、パッチアンテナの横方向の寸法ａが、緩衝部材が構成する空間の寸法ｂより大きいため、入れ込むための作業性は良くなかった。
これに対し、本発明の構造では、パッチアンテナ３１の受信面の角３１４および３１５を緩衝部材２０１および２０２の１面で受けている。従って、緩衝部材の部品数を削減することが可能となる。また、組込みに当たりパッチアンテナ３１の側面が緩衝部材２０１および２０２と干渉しないので、組み込みも非常に容易である。
【００３７】
なお、保持部材１０には、パッチアンテナ３１の給電ピン３１３を避けるための穴１０１が空けられている。このため、受信面３１１と対向する面１０２との隙間を詰めることが可能となる。これにより、緩衝部材２０１，２０２の小型化と電子機器全体の薄型化が可能となる。
【００３８】
図３は、本発明のパッチアンテナを実装した回路ブロックに対する耐衝撃構造における緩衝部材の配置を示す説明図で、分解組立図の斜視図である。
説明を簡単にするため、回路基板３２は外形のみを示し、回路押さえ５０、支持部材４０、パッチアンテナ３１以外の回路基板３２上の実装部品は省略した。
【００３９】
パッチアンテナ３１は略四角柱形状であり、図中見えない受信面３１１の外縁部の角は略四角形となるので、各辺に緩衝部材２０１ないし２０４の４つを配置する。
保持部材１０には、４つの緩衝部材２０１ないし２０４のそれぞれを傾斜して配置するための凹部１０２１ないし１０２４が設けている。但し、凹部１０２１および１０２４は図中見えない位置に配置されている。
【００４０】
パッチアンテナ３１の受信面３１１の外縁部の角を受ける、緩衝部材２０１ないし２０４の斜面２０１１ないし２０４１を、図中上方から下方の組立方向に対して所定の角度を持った斜面とする事で、パッチアンテナ３１を実装した回路ブロック３０に対して全方向からの衝撃を緩衝部材２０１ないし２０４で受ける耐衝撃構造でありながら、耐衝撃構造を構成する部材を保持部材１０に対して図中上方から下方の組立方向１００で組み立てるのみという簡便な組立が可能な構造になっている。
【００４１】
図４は、支持部材１０を回路ブロック３０の組立方向から見た平面図である。図中左側の四角形に囲まれた部分にパッチアンテナ３１が位置する。
【００４２】
緩衝部材２０１ないし２０４をそれぞれ傾斜して配設するための凹部１０２１ないし１０２４が、略四角柱形状のパッチアンテナ３１の受信面３１１の外縁部である４つの辺に対応して配置されている。
【００４３】
凹部１０２１ないし１０２４には、支持部材１０を貫通するのぞき穴１０１１ないし１０１４が設けられている。
【００４４】
凹部１０２１ないし１０２４、およびのぞき穴１０１１ないし１０１４の形状や配置は、図４の形状に限定されない。図４では、凹部１０２１ないし１０２４、およびのぞき穴１０１１ないし１０１４の配置は非対称な形状であるが、もちろん対象形状でも良い。図４では、のぞき穴１０１１ないし１０１４は四角形であるが、円形やその他形状でも良い。
要は、図中省略されている他の部材や機構部品の配置、支持部材１０を成型する金型設計などを考慮し、適宜決定すれば良い。
【００４５】
但し、のぞき穴１０１１ないし１０１４については、あまり大きいと緩衝部材２０１ないし２０４の安定固定に支障をきたす可能性があるので、その点は考慮すべきである。
また、パッチアンテナ３１の給電ピン３１３を避けるための穴１０１が異形となっているのは、支持部材１０の図中見えない側に配置する、図示を省略した機構部品を避けるためである。
【００４６】
図１では、組立方向１００に対して緩衝部材２０１ないし２０４の斜面２０１１ないし２０４１は６０°の角度を持った斜面としている。
これは、斜面２０１１ないし２０４１の組立方向１００に対する角度を４５°とした場合、回路ブロック３０を組み立てた状態で受信面３１１外縁の角３１４および３１５に対して、緩衝部材２０１の下方と右方向および緩衝部材２０２の下方と左方向の厚みが同等となる利点はあるが、回路ブロック３０の組立状態で、受信面３１１外縁の角３１４および３１５の支持部材１０に対する位置公差が、上下方向より左右方向の方が大きくなるため、左右方向に斜面の寸法を大きく取るためである。
【００４７】
図５は、図１と同様に本発明のパッチアンテナを実装した回路ブロックに対する耐衝撃構造を示す断面図であるが、パッチアンテナ３１の受面３１１と反対の面を非導電部材で押圧する例を示す。
以下、図５を基に図１と相違する点を主に記述する。非導電部材であるプラスチックで成型された支持部材４０は、パッチアンテナ３１の給電部３１２と集積回路３３が収まる空間を確保するための部材である。
【００４８】
支持部材４０は押圧部材４５を有し、支持部材４０が組み立てられた状態で押圧部材４５は弾性変形して、パッチアンテナ３１の上側で回路基板３２の受信面３１１とは反対向きの面を図中下方に押圧する。
【００４９】
このとき、押圧部材４５の図中下方への押圧力は、緩衝部材２０１および２０２の発生する反発力の総和より大きくして、組立時や衝撃時に保持部材１０から回路ブロック３０が浮き上がるのを防止する。
【００５０】
衝撃により、パッチアンテナ３１が図中上方に移動しようとする場合は一旦押圧部材４５の押圧力で受け、パッチアンテナ３１が図中下方に戻る際に緩衝部材２０１および２０２によって衝撃力を吸収する。
【００５１】
以上のように、押圧部材４５が非導電部材であっても耐衝撃構造としての効果は同じとなる。押圧部材４５が非導電部材の場合、パッチアンテナ３１での受信に影響を与えないので、導電部材の押圧部材５１が、パッチアンテナ３１の裏側に近接することで受信に影響する場合に有効である。
【実施例２】
【００５２】
以下、本発明の実施例を図面に基づいて詳述する。本実施例は、実施例１と同様の構造を電池の保持にも適用したものである。
最近は多機能化に伴い電池も大型化、重量化する傾向にある。実施例１に示すパッチアンテナを搭載する高周波を受信する場合も同様である。電池はパッチアンテナのような脆性部品ではないので、電池自体が破損する心配は少ないが、その重量により、衝撃時に電子機器内の他の部材に影響を与える可能性がある。従って、電池の保持についても耐衝撃構造を取ることは、このような電子機器にとって有効である。
図６は、本発明の電池に対する耐衝撃構造を示す断面図である。
【００５３】
回路基板３２の上に、使用時は弾性変形して電池６０に当接する導通部材８０を配置し、この導通部材８０の上に電池を配置して、回路押さえ５０に設ける押圧部材５２で図中下方に押圧されている。
【００５４】
支持部材４０の電池収納部４０１は電池６０の直径よりわずかに大きい直径の円形の穴であり、電池収納部４０１の下端には円環形状の緩衝部材２０５を配置するための凹部４０１１が設けられている。
【００５５】
凹部４０１１に緩衝部材２０５を配置すると、緩衝部材２０５の円錐面２０５１の中心
軸と電池６０の組立方向は、図中上下方向で一致する。
電池６０下側の電極面６０１は外縁部の角６０３を緩衝部材２０５の円錐面２０５１に当接し、緩衝部材２０５と電池６０とが寸法的に干渉する分は緩衝部材２０５が弾性変形して、電池６０を適度な反発力で図中上方に押し上げるとともに、電池６０の寸法公差を吸収する。
【００５６】
電池６０の直径方向は全周にわたって支持部材４０との間に緩衝部材２０５が介在し、電池６０の下方は回路基板３２との間に緩衝部材２０５が介在する。
【００５７】
衝撃により、電池６０が図中下方向に移動しようとする場合は電池６０と回路基板３２との間に介在する緩衝部材２０５が、電池６０が直径方向に移動しようとする場合は、電池６０と支持部材４０との間に介在する緩衝部材２０５によって直接衝撃を吸収し、電池６０が図中上方に移動しようとする場合は一旦押圧部材５２の押圧力で受け、電池６０が図中下方に戻る際に電池６０と回路基板３２との間に介在する緩衝部材２０５によって衝撃力を吸収する。
【００５８】
図７は、本発明の電池に対する耐衝撃構造における緩衝部材の組立手順を示す説明図で、分解組立図の斜視図である。
【００５９】
回路ブロック３０の回路基板３２の上に導通部材８０を配置し、電池収納部４０１の下方から円環形状の緩衝部材２０５を組み込んだ支持部材４０を上方から回路ブロック３０上に配置する。
【００６０】
図中上方より電池６０を支持部材４０の電池収納部４０１に収納し、回路押さえ５０をねじ７１ないし７５で保持部材５０に固定すると押圧部材５２が弾性変形して電池６０を図中下方に押圧する。
【００６１】
電池６０下側の電極面６０１の外縁部の角を受ける、円錐面２０５１の中心軸を、図中上方から下方の電池６０組立方向に一致させる事で、電池６０に対して全方向からの衝撃を緩衝部材２０５で受ける耐衝撃構造でありながら、電池６０の交換時は電池及び回路押さえ５０を図中上方から下方に組み立てるのみという簡便な組立が可能な構造になっている。
【００６２】
なお、実施例１で説明した押圧部材５１は、支持部材４０の貫通穴４０２を通って回路基板３２のパターン３５と接触する。これにより、回路ブロック３０には、回路押さえ５０を介して電池６０の上面側の電位が供給される。
【００６３】
以上の実施例の説明で、電子部品ユニットの衝撃による破損を防ぐ緩衝構造について、緩衝部材が電子部品ユニットにおける受け面と厚み方向との角部で保持するように配置される場合の角部が直線状であるパッチアンテナと円弧状である電池の場合を述べたので、角部の形状がそれ以外の場合でも、緩衝部材の角部を受ける面が斜面の場合と円錐面の場合の組み合わせで類推できる。
【００６４】
図８は、図６と同様に本発明の電池に対する耐衝撃構造を示す断面図であるが、図６とは電池６０の組立方向が逆で、電極面６０１を上方とし、下方の電極面を受面６０２とする例を示す。
【００６５】
以下、図８を基に図６と相違する点を主に記述する。
【００６６】
支持部材４０の電池収納部４０１は電池６０の直径よりわずかに大きい直径の円形の穴
であり、電池収納部４０１の下端には円環形状の緩衝部材２０６を配置するための凹部４０１２が設けられている。
電池６０下側の電極面６０２は外縁部の角６０４を緩衝部材２０６の円錐面２０６１に当接し、緩衝部材２０６と電池６０とが寸法的に干渉する分は緩衝部材２０６が弾性変形して、電池６０を適度な反発力で図中上方に押し上げるとともに、電池６０の寸法公差を吸収する。
【００６７】
衝撃により、電池６０が図中下方向に移動しようとする場合は電池６０と回路基板３２との間に介在する緩衝部材２０６が、電池６０が直径方向に移動しようとする場合は、電池６０と支持部材４０との間に介在する緩衝部材２０６によって直接衝撃を吸収し、電池６０が図中上方に移動しようとする場合は一旦押圧部材５２の押圧力で受け、電池６０が図中下方に戻る際に電池６０と回路基板３２との間に介在する緩衝部材２０６によって衝撃力を吸収する。
【００６８】
[変形例]
実施例１では、緩衝部材として断面が方形の部材を使用した。これは、方形部材が市販品として手に入れやすいためである。パッチアンテナの角を緩衝部材の面で受ける構造であれば、もちろん方形部材でなくても良い。
【００６９】
図９は、図１の変形例として、緩衝部材の断面を三角形とした、本発明のパッチアンテナを実装した回路ブロックに対する耐衝撃構造を示す断面図である。
【００７０】
図１で示した耐衝撃構造と同様に、緩衝部材２１１および２１２の斜面２１１１と２１２１が、パッチアンテナ３１の受信面３１１の外縁部の角３１４および３１５に当接してパッチアンテナ３１を保持する。
【００７１】
また、保持部材１１は、保持部材１１の緩衝部材２１１および２１２が配置される部分に、保持部材１１を貫通するのぞき穴１１１１および１１１２を有する。
【００７２】
のぞき穴１１１１および１１１２は、保持部材１１に緩衝部材２１１および２１２を配設して回路ブロック３０を組み立てた後に、緩衝部材２１１および２１２の有無を確認するために用いる。
【００７３】
図１で示した耐衝撃構造との相違は、緩衝部材２１１および２１２が三角柱形状であり、保持部材１１は、三角柱形状の緩衝部材２１１および２１２を配置するための水平面を持つ凹部１１２１および１１２２を有する点にある。
【００７４】
緩衝部材２１１および２１２が三角柱形状であるため、四角柱形状の場合に比較して製造に難度を伴うが、四角柱形状の緩衝部材２０１および２０２を傾斜して配置する場合の斜面の寸法より、緩衝部材２１１および２１２を配置した際の斜面の水平方向寸法は大きく取れる利点がある。
そのため、回路ブロック３０の組立方向に対する斜面の角度を４５°としても、パッチアンテナ３１の受信面３１１外縁の角３１４および３１５の支持部材１１に対する位置公差が大きくても、斜面２１１１および２１２１は受信面３１１外縁の角３１４および３１５に余裕を持って当接できる。
斜面の角度を４５°とすることにより、水平方向の寸法を小さくすることが可能となる。
【符号の説明】
【００７５】
１０  保持部材
２０１〜２０４  四角柱形状の緩衝部材
２０５、２０６  円環形状の緩衝部材
２１１、２１２  三角柱形状の緩衝部材
３０  回路ブロック
３１  パッチアンテナ
３２  回路基板
４０  支持部材
５０  回路押さえ
５１、５２  押圧部材
６０  電池
７１〜７５  ねじ
８０  導通部材
【図１】
0005570462.tif 000002
【図２】
0005570462.tif 000003
【図３】
0005570462.tif 000004
【図４】
0005570462.tif 000005
【図５】
0005570462.tif 000006
【図６】
0005570462.tif 000007
【図７】
0005570462.tif 000008
【図８】
0005570462.tif 000009
【図９】
0005570462.tif 000010
【図１０】
0005570462.tif 000011